(57)【要約】【課題】折りたたみを閉じた状態では省電力モードにありながらも、個人認証の結果に応じて折りたたみを開状態にすることができる折りたたみ型の携帯端末装置を提供することである。【解決手段】折りたたみ型の携帯端末装置において、前記折りたたみを閉じた状態のときに省電力モードにする制御手段と、操作者による操作を受けて前記折りたたみを閉じた状態から開いた状態にする開要求信号を出力する開要求部と、前記開要求部からの開要求信号を受けた場合に前記省電力モードを解除する省電力制御部と、操作者を特定する認証情報の入力を受け付ける認証情報入力部と、前記認証情報入力部による認証情報があらかじめ登録した情報と合致した場合に前記折りたたみを閉じた状態から開いた状態にする開処理制御部とを備え、前記省電力モードでは前記認証情報入力部に給電せず、前記省電力モードが解除されると前記認証情報入力部に給電することを特徴とする。【選択図】図２
2009213028.tif 000002
【特許請求の範囲】
【請求項１】
折りたたみ型の携帯端末装置において、
前記折りたたみを閉じた状態のときに省電力モードにする制御手段と、操作者による操作を受けて前記折りたたみを閉じた状態から開いた状態にする開要求信号を出力する開要求部と、前記開要求部からの開要求信号を受けた場合に前記省電力モードを解除する省電力制御部と、操作者を特定する認証情報の入力を受け付ける認証情報入力部と、前記認証情報入力部による認証情報があらかじめ登録した情報と合致した場合に前記折りたたみを閉じた状態から開いた状態にする開処理制御部とを備え、
前記省電力モードでは前記認証情報入力部に給電せず、前記省電力モードが解除されると前記認証情報入力部に給電する
ことを特徴とする携帯端末装置。
【請求項２】
操作者による一つの動作によって前記開要求部および前記認証情報入力部を起動可能なように構成されていることを特徴とする請求項１に記載の携帯端末装置。
【請求項３】
折りたたみ型の携帯端末装置において、
操作者による操作を受けて前記折りたたみを閉じた状態から開いた状態にする開要求信号を出力する開要求部と、操作者を特定する認証情報の入力を受け付ける認証情報入力部とを兼ねる入力部
を備えたことを特徴とする携帯端末装置。
【請求項４】
前記入力部が、操作者による一つの動作によって前記開要求部および前記認証情報入力部を起動可能なように構成されていることを特徴とする請求項３に記載の携帯端末装置。
【請求項５】
前記認証情報が指紋であることを特徴とする請求項１ないし４のうちのいずれか１項に記載の携帯端末装置。
【請求項６】
折りたたみ型の携帯端末装置の制御プログラムにおいて、
前記携帯端末装置に、
前記折りたたみを閉じた状態のときに省電力モードにする制御処理と、
操作者による操作を受けて前記折りたたみを閉じた状態から開いた状態にする開要求信号を出力する開要求処理と、
前記開要求処理からの開要求信号を受けた場合に前記省電力モードを解除する省電力制御処理と、
操作者を特定する認証情報の入力を受け付ける認証情報入力処理と、
前記認証情報入力処理による認証情報があらかじめ登録した情報と合致した場合に前記折りたたみを閉じた状態から開いた状態にする開処理制御処理と、
前記省電力モードでは前記認証情報入力処理に給電せず、前記省電力モードが解除されると前記認証情報入力部に給電する処理と
を実行させることを特徴とする携帯端末装置の制御プログラム。
【発明の詳細な説明】
【技術分野】
【０００１】
本発明は、携帯端末装置に関し、特に個人認証機能を有する携帯端末装置に関する。
【背景技術】
【０００２】
最近の携帯電話機等の携帯端末装置の普及は目覚ましく、多くの人が常に携帯している。また、携帯のしやすさから折りたたみ型の携帯端末装置が多く利用されている。
【０００３】
ところで、このような携帯端末装置においては、やはり携帯のしやすさから小型化が望まれ、搭載するバッテリの小型化も余儀なくされ、そうなると消費電力の低減が必要となってくる。この消費電力の低減のため、携帯端末装置では省電力モードが用意され、この省電力モードでは、所定状態のときに所定機能を停止して消費電力が小さくなるように設定される。
【０００４】
また最近では、携帯端末装置には個人情報等が格納されていたり、課金が発生する機能が搭載されていたりするため、たとえば持ち主以外には、機能を提供しないように個人認証機能を備えたものが知られている。
【０００５】
図７は、従来の携帯端末装置の概略斜視図であり、（ａ）、（ｂ）および（ｃ）はその動作を説明する図である。
【０００６】
図７（ａ）、（ｂ）および（ｃ）に示すように、従来の携帯端末装置１００は、上側筺体１０２と下側筺体１０３とを有し、この上側筺体１０２と下側筺体１０３とが一端に設けたヒンジを軸に回動して開閉可能に構成されている。
【０００７】
操作者がたとえば自身の指１５を使って携帯端末装置１００を開くと、その開いた面の下側筺体１０３側には、指紋入力部１０１が設けられている（図７（ｂ）参照）。
【０００８】
操作者は、この指紋入力部１０１に自身の指１５の指紋を押し当てるなどして指紋入力を行い、携帯端末装置１００では入力された指紋に基づいて個人認証を行い、あらかじめ登録された指紋と照合して一致した場合には、携帯端末装置１００の所定の機能をこの操作者に提供する。
【０００９】
また、たとえば特許文献１には、折りたたみ型端末装置において、折りたたんだ状態で開けないようにロックし、指紋によって個人認証を行い、認証結果に応じてロックを解除するようにした発明が開示されている。
【００１０】
【特許文献１】特開２００２−３６８８７０号公報
【発明の開示】
【発明が解決しようとする課題】
【００１１】
しかしながら、上述の特許文献１に記載の発明では、携帯端末装置の省電力モードについて考慮していないという問題があった。
【００１２】
すなわち、個人認証機能を動作させるためには、個人認証機能を停止させるような省電力モードであってはならず、したがって、特許文献１に記載の発明では、個人認証機能折りたたみを閉じた状態であるにもかかわらず、省電力モードに移行することができず、消費電力が大きいという問題があった。
【００１３】
本発明は上記の点にかんがみてなされたもので、その目的は、折りたたみを閉じた状態では省電力モードにありながらも、個人認証の結果に応じて折りたたみを開状態にすることができる折りたたみ型の携帯端末装置を提供することにある。
【課題を解決するための手段】
【００１４】
上記目的を達成するため、本発明は、折りたたみ型の携帯端末装置において、前記折りたたみを閉じた状態のときに省電力モードにする制御手段と、操作者による操作を受けて前記折りたたみを閉じた状態から開いた状態にする開要求信号を出力する開要求部と、前記開要求部からの開要求信号を受けた場合に前記省電力モードを解除する省電力制御部と、操作者を特定する認証情報の入力を受け付ける認証情報入力部と、前記認証情報入力部による認証情報があらかじめ登録した情報と合致した場合に前記折りたたみを閉じた状態から開いた状態にする開処理制御部とを備え、前記省電力モードでは前記認証情報入力部に給電せず、前記省電力モードが解除されると前記認証情報入力部に給電することを特徴とする。
【００１５】
また本発明は、折りたたみ型の携帯端末装置の制御プログラムにおいて、前記携帯端末装置に、前記折りたたみを閉じた状態のときに省電力モードにする制御処理と、操作者による操作を受けて前記折りたたみを閉じた状態から開いた状態にする開要求信号を出力する開要求処理と、前記開要求処理からの開要求信号を受けた場合に前記省電力モードを解除する省電力制御処理と、操作者を特定する認証情報の入力を受け付ける認証情報入力処理と、前記認証情報入力処理による認証情報があらかじめ登録した情報と合致した場合に前記折りたたみを閉じた状態から開いた状態にする開処理制御処理と前記省電力モードでは前記認証情報入力処理に給電せず、前記省電力モードが解除されると前記認証情報入力部に給電する処理とを実行させることを特徴とする。
【発明の効果】
【００１６】
本発明によれば、折りたたみを閉じた状態では省電力モードにありながらも、個人認証の結果に応じて折りたたみを開状態にすることができる折りたたみ型の携帯端末装置を提供することができる。
【発明を実施するための最良の形態】
【００１７】
以下、本発明の実施の形態について図面を参照しながら説明する。
【００１８】
図１は、本発明の一実施の形態による携帯端末装置の概略斜視図であり、（ａ）および（ｂ）はその動作を説明する図である。
【００１９】
図１（ａ）および（ｂ）に示すように、たとえば携帯電話機等の、本実施の形態の携帯端末装置１０は、上側筺体１２と下側筺体１３とを有し、この上側筺体１２と下側筺体１３とが、たとえば一端に設けたヒンジを軸に回動して開閉可能に構成されている。
【００２０】
携帯端末装置１０を閉じた状態において、たとえば上側筺体１２の上面には入力部１１が設けられている。
【００２１】
この入力部１１は、操作者の指１５が押し付けられることによってその指紋（認証情報）の入力を受け付ける指紋入力部３（図２参照）としての機能と、押下されることによって開要求の入力を受け付ける開要求部１（図２参照）としての機能とを兼ね備えたものである。
【００２２】
動作制御の一例の詳細は後述するが、簡単に説明すると、携帯端末装置１０が閉じた状態で省電力モードのときに、操作者がたとえば自身の指１５にて入力部１１を押下すると、開要求部１としての入力部１１がこの操作によって開要求を受け付け、省電力モードを解除して入力部１１を指紋入力部３として機能させ、入力部１１を押下している指１５の指紋を読み取る。
【００２３】
この入力された指紋を、あらかじめ登録されたものと照合して一致した場合には、図１（ｂ）に示すように上側筺体１２と下側筺体１３とを開く開処理を実行し、携帯端末装置１０の所定の機能をこの操作者に提供する。
【００２４】
このように、本実施の形態によれば、携帯端末装置１０が閉じた状態で省電力モードにすることができ、この省電力モード時に、機械的な押下スイッチである開要求部１としての入力部１１を操作者が押下することによって、これを契機に携帯端末装置１０は指紋入力部３としての入力部１１に給電し、指紋入力機能を起動させることができる。
【００２５】
また、入力された指紋の認証結果に応じて上側筺体１２と下側筺体１３とを開くので、図７に示した従来技術のような、折りたたみを開いてから認証を行うような手間を省くことができる。
【００２６】
従来の折りたたみ携帯の場合、折りたたんでいる状態では省電力モードであり、認証処理が動作しない。従来は、開く処理と、認証処理とがそれぞれ別に実施する必要があり、手早く利用することができないという問題があった。本実施の形態によれば、この問題が解決される。
【実施例】
【００２７】
次に本発明の一実施例について図面を参照しながら説明する。
［実施例の構成の説明］
図２は、図１に示した本発明による携帯端末装置１０の制御に関する構成の一実施例を示すブロック図である。
【００２８】
携帯端末装置１０は、入力部１１に設けられた開要求部１および指紋入力部３と、省電力解除・指紋認証・開処理制御部２（以下、単に「制御部」という）とを有して構成される。
【００２９】
また、制御部２は、開要求部１からの開く要求を受信する開要求受信部２−１と、省電力モードへの移行や省電力モードの解除を制御する省電力制御部２−２と、指紋認証を行う指紋認証処理部２−３と、携帯端末装置１０を開く開処理制御部２−４とを備える。
［実施例の動作の説明］
続いて、本実施の例の動作について図３から図６を参照して説明する。
【００３０】
図３は、図２に示した開要求受信部２−１の処理を示すフローチャートである。
【００３１】
図４は、図２に示した省電力制御部２−２の処理を示すフローチャートである。
【００３２】
図５は、図２に示した指紋認証処理部２−３の処理を示すフローチャートである。
【００３３】
図６は、図２に示した開処理制御部２−４の処理を示すフローチャートである。
【００３４】
まず、開要求部１は、押下されると、開要求の信号を開要求受信部２−１に送信する。
【００３５】
開要求受信部２−１は、開要求受信処理として開要求部１からの開要求の信号を受け取り（図３のステップ２−１−１）、省電力解除部起動処理として省電力解除部２−２を起動する（図３のステップ２−１−２）。
【００３６】
起動された省電力制御部２−２は、省電力解除処理として、携帯端末装置１０の省電力モードを解除し（図４のステップ２−２−１）、指紋認証処理部起動処理として、指紋認証処理部２−３を起動する（図４のステップ２−２−２）。
【００３７】
起動された指紋認証処理部２−３は、指紋取得処理として、指紋入力部３から指紋データを入力し（図５のステップ２−３−１）、認証判断処理として、認証判断し（図５のステップ２−３−２）、許可された指紋であれば、開処理制御部起動処理として、開処理制御部２−４を起動する（図５のステップ２−３−３）。
【００３８】
起動された開処理制御部２−４は、開処理として、携帯端末装置１０を開く処理を行う（図６のステップ２−４−１）。
【００３９】
このようにして、本願発明では、省電力解除・指紋認証・開処理制御部２が、携帯端末装置１０が閉じている状態の省電力モードを開要求の信号が来た時点で解除し、指紋認証処理をし、認証ができれば携帯端末装置１０を開く処理しているので、携帯端末装置１０が閉じた状態の省電力モードであっても省電力を解除し、指紋認証処理を実施することができ、また、操作者は携帯端末装置１０を開いてから認証処理を再度実施することなく、開要求部１と指紋入力部３とを兼ねた入力部１１を押すことによって、開くと同時に認証処理を実施することができる。
【００４０】
なお、上述の説明では、認証情報として指紋を挙げて説明したが、本発明はこれに限られるものではなく、たとえば指先の静脈パターンを認証情報として用いるものであってもかまわない。
【図面の簡単な説明】
【００４１】
【図１】本発明の一実施の形態による携帯端末装置の概略斜視図であり、（ａ）および（ｂ）はその動作を説明する図である。
【図２】図１に示した本発明による携帯端末装置１０の制御に関する構成の一実施例を示すブロック図である。
【図３】図２に示した開要求受信部２−１の処理を示すフローチャートである。
【図４】図２に示した省電力制御部２−２の処理を示すフローチャートである。
【図５】図２に示した指紋認証処理部２−３の処理を示すフローチャートである。
【図６】図２に示した開処理制御部２−４の処理を示すフローチャートである。
【図７】従来の携帯端末装置の概略斜視図であり、（ａ）、（ｂ）および（ｃ）はその動作を説明する図である。
【符号の説明】
【００４２】
１  開要求部
２省電力解除・指紋認証・開処理制御部
２−１  開要求受信部
２−２  省電力制御部
２−３  指紋認証処理部
２−４  開処理制御部
３  指紋入力部
１０  携帯端末装置
１１  入力部
１２  上側筺体
１３  下側筺体
１５  指
【図１】
2009213028.tif 000003
【図２】
2009213028.tif 000004
【図３】
2009213028.tif 000005
【図４】
2009213028.tif 000006
【図５】
2009213028.tif 000007
【図６】
2009213028.tif 000008
【図７】
2009213028.tif 000009